(57)【要約】      （修正有）【課題】熱間圧延ラインにてテーブルロールの下に設置された検査装置に付設の旋回昇降式のエプロン上に冷却水が溜まるなどしていた場合に、旋回昇降式のエプロンが旋回して下降した際に、この冷却水が検査装置の上に落下して、検査装置を構成するカメラのレンズをくもらせ、正常に検査ができなくなるのを防止できる、熱間圧延ラインにおけるテーブルロールのエプロンおよびその運転方法ならびに熱延金属帯の製造方法を提供する。【解決手段】エプロン３１用の冷却水ｗをパージするためのパージ手段４０を設ける。【選択図】図１
2010240684.tif 000002
【特許請求の範囲】
【請求項１】
熱間圧延ライン上、被圧延材の搬送方向に列設されたテーブルロールの下に設置された検査装置に付設の旋回昇降式のエプロンであって、前記エプロン用の冷却水をパージするための手段を設けたことを特徴とする熱間圧延ラインにおけるテーブルロールのエプロン。
【請求項２】
熱間圧延ライン上、被圧延材の搬送方向に列設されたテーブルロールの下に設置された検査装置に付設の旋回昇降式のエプロンを、検査対象でない被圧延材が前記検査装置の上を通過する際は上昇させ、前記エプロン用の冷却水を噴水口から吐出させるようにしておき、検査対象の被圧延材の先端が前記検査装置の上を通過した直後に、前記旋回昇降式のエプロンを旋回させて下降させ、前記検査装置の視野から外れるようにするとともに、前記エプロンを旋回させて下降させるのに先立って、前記エプロン用の冷却水を前記噴水口から吐出させるのを停止させ、かつ、前記エプロン用の冷却水をパージすることを特徴とする熱間圧延ラインにおけるテーブルロールのエプロンの運転方法。
【請求項３】
請求項２の方法を用いた熱延金属帯の製造方法。
【発明の詳細な説明】
【技術分野】
【０００１】
本発明は、熱間圧延ラインにおけるテーブルロールのエプロンおよびその運転方法ならびに熱延金属帯の製造方法に関する。
【背景技術】
【０００２】
一例として、図３に示すような帯鋼の熱間圧延ライン１００の場合を例にとる。
【０００３】
熱間圧延とは、一般的に、連続鋳造または造塊、分塊によって製造されたスラブ状の金属材料を加熱炉にて数百〜千数百℃に加熱した後、熱間圧延ライン上に抽出し、一対または複数対のロールで挟圧しつつそのロールを回転させることで、薄く延ばし、コイル状に巻き取る一連のプロセスである。
【０００４】
加熱炉１０により数百〜千数百℃に加熱された厚み１５０〜３００ｍｍの金属材料（以下、被圧延材）８は、粗圧延機１２、仕上圧延機１８により厚み１．２〜２５ｍｍまで圧延されて金属板（金属帯）状に薄く延ばされ、冷却設備２６により冷却されたのち、コイラー２４によりコイル状に巻き取られる。
【０００５】
仕上圧延機１８を構成する各圧延機同士の間を除いて、圧延機同士の間ではテーブルロール７が被圧延材８を搬送する。仕上圧延機１８とコイラー２４の間のテーブルロール７は、特に、ランナウトテーブル２３と呼ばれる。
【０００６】
１４はクロップシャー、１６はデスケーリング装置である。このほか、被圧延材８の温度、寸法（厚さ、幅）、形状などを測定する各種センサが、熱間圧延ライン１００中の随所に設置されている。５０は制御装置、７０はプロセスコンピュータ、９０はビジネスコンピュータである。
【０００７】
ところで、テーブルロール７、中でも、ランナウトテーブル２３の下には、特許文献１などにも記載されている通り、被圧延材８の裏面にできた疵などの欠陥を検出するため、図４に示すように、検査装置３０を設置する場合がある。図４中、３１は旋回昇降式のエプロン、３２は旋回中心、３３はアクチュエータ、３４は旋回半径、３５は支持脚をそれぞれ意味する。
【０００８】
テーブルロール７や旋回昇降式のエプロン３１、それに、符号を図示しないその他の多数のエプロンには、図示していないが、冷却水をかけることで冷却が行われている。
【０００９】
図４に示す検査装置３０の場合、検査対象である図示しない被圧延材８の先端が検査装置３０の上を通過した後、旋回昇降式のエプロン３１が旋回中心３２を中心に旋回して下降し、検査装置３０と被圧延材８の間に遮蔽物が何もなくなって、検査できる状態になる。
【先行技術文献】
【特許文献】
【００１０】
【特許文献１】特開平０９−１７４１３１号公報
【発明の概要】
【発明が解決しようとする課題】
【００１１】
しかしながら、もしも、後述する第一の実施の形態のように、噴水口３６やそれに通ずる配管内に冷却水が残っているような場合も含め、エプロン３１上に冷却水が溜まるなどしていた場合に、旋回昇降式のエプロン３１が旋回中心３２を中心に旋回して下降した際に、この冷却水が検査装置３０上に落下して、検査装置３０を構成するカメラのレンズをくもらせ、正常に検査できなくなる場合が出てくる。
【００１２】
本発明は、従来技術の以上のような問題を解決するためになされたものであり、熱間圧延ラインにてテーブルロール７（２３）の下に設置された検査装置３０に付設の旋回昇降式のエプロン３１上に冷却水が溜まるなどしていた場合に、旋回昇降式のエプロン３１が旋回中心３２を中心に旋回して下降した際に、この冷却水が検査装置３０上に落下して、検査装置３０を構成するカメラのレンズをくもらせ、正常に検査ができなくなるのを防止できる、熱間圧延ラインにおけるテーブルロールのエプロンおよびその運転方法ならびに熱延金属帯の製造方法を提供することを目的とする。
【課題を解決するための手段】
【００１３】
すなわち、本発明は、以下の通りである。
（１）熱間圧延ライン上、被圧延材の搬送方向に列設されたテーブルロールの下に設置された検査装置に付設の旋回昇降式のエプロンであって、前記エプロン用の冷却水をパージするための手段を設けたことを特徴とする熱間圧延ラインにおけるテーブルロールのエプロン。
（２）熱間圧延ライン上、被圧延材の搬送方向に列設されたテーブルロールの下に設置された検査装置に付設の旋回昇降式のエプロンを、検査対象でない被圧延材が前記検査装置の上を通過する際は上昇させ、前記エプロン用の冷却水を噴水口から吐出させるようにしておき、検査対象の被圧延材の先端が前記検査装置の上を通過した直後に、前記旋回昇降式のエプロンを旋回させて下降させ、前記検査装置の視野から外れるようにするとともに、前記エプロンを旋回させて下降させるのに先立って、前記エプロン用の冷却水を前記噴水口から吐出させるのを停止させ、かつ、前記エプロン用の冷却水をパージすることを特徴とする熱間圧延ラインにおけるテーブルロールのエプロンの運転方法。
（３）（２）の方法を用いた熱延金属帯の製造方法。
【発明の効果】
【００１４】
本発明によれば、熱間圧延ラインにてテーブルロール７（２３）の下に設置された検査装置３０に付設の旋回昇降式のエプロン３１上に冷却水が溜まるなどしていた場合に、旋回昇降式のエプロン３１が旋回中心３２を中心に旋回して下降した際に、この冷却水が検査装置３０の上に落下して、検査装置３０を構成するカメラのレンズをくもらせ、正常に検査ができなくなるのを防止できる、熱間圧延ラインにおけるテーブルロールのエプロンおよびその運転方法ならびに熱延金属帯の製造方法を提供できる。
【図面の簡単な説明】
【００１５】
【図１】本発明の一つの実施の形態について説明するための線図
【図２】本発明の別の実施の形態について説明するための線図
【図３】熱間圧延ラインの一例について説明するための線図
【図４】テーブルロールのエプロンについて説明するための線図
【発明を実施するための形態】
【００１６】
（第一の実施の形態）本発明の一つの実施の形態について、図１を用いて説明する。本発明で対象としている、熱間圧延ラインにおけるテーブルロールのエプロンは、旋回することで昇降するしくみである。図１（ａ）はエプロン３１が上昇した状態、（ｂ）は下降した状態を模式的に示している。
【００１７】
本実施の形態で対象としているエプロン３１は、被圧延材８から輻射熱を受けるため、エプロン３１を保護する目的で、冷却水ｗを、エプロン３１に繰り抜いた噴水口３６を通じて、エプロン３１の下側から配管を通じて供給するようになっている。
【００１８】
図１（ｂ）に示すように、冷却水ｗは、冷却水供給配管から自動弁（三方弁）３７を通じてエプロン３１に繰り抜いた噴水口３６に向け供給されている。
【００１９】
検査対象でない被圧延材８が検査装置３０の上を通過する際は、図１（ａ）に示すように、エプロン３１は上昇させ、冷却水ｗを噴水口３６から吐出させるようにしておく。そして、吐出された冷却水ｗはエプロン３１の表面を伝わって、隙間などから流れ落ちる。この流れ落ちる冷却水が検査装置３０にかかることはないような位置に検査装置３０は設置されている。なお、冷却水ｗが噴水口３６から吐出される際は被圧延材８にかからない程度にされるのが好ましい。
【００２０】
検査対象でない被圧延材８の尾端が検査装置３０の上を通過したら、その直後に、自動弁（三方弁）３７に向け、制御装置５０（図示せず）から指令し、冷却水ｗの吐出を停止させてもよいし、検査対象でない被圧延材８の尾端が検査装置３０の上を通過した後、次の被圧延材８が接近してくるまでの間、しばらく冷却水ｗの吐出を継続するようにしてもよい。しかし、次の被圧延材８が接近してくるまで、例えば、一分以上も時間があるような場合は冷却水ｗの吐出を停止させるようにした方が好ましい。
【００２１】
さて、検査対象の被圧延材８がくると、該被圧延材８の先端が検査装置３０の上を通過した直後、被圧延材８の中間部分が通過中に、エプロン３１を旋回させて下降させ、今まで検査装置３０の視野を遮っていたエプロン３１が視野から外れるようにすることで、検査装置３０は被圧延材８を検査することができるようになる。
【００２２】
本発明では、エプロン３１用の冷却水ｗをパージするための手段（パージ手段４０）を設けている。例えば、図１（ｂ）に示すように、パージ手段４０は、冷却水供給配管から自動弁（三方弁）３７を通じてエプロン３１に繰り抜いた噴水口３６に向け冷却水ｗが供給される配管の途中に、圧縮空気配管から、自動弁３８と逆止弁３９を通じて圧縮空気を供給できるように別の配管を通じて接続する。
【００２３】
エプロン３１を旋回させて下降させるのに先立って、自動弁（三方弁）３７に向け、制御装置５０（図示せず）から指令し、エプロン３１用の冷却水ｗを噴水口３６から吐出させるのを停止させ、かつ、以上説明した、エプロン３１用の冷却水ｗをパージするためのパージ手段４０を用いて圧縮空気を噴射することで、噴水口３６やそれに通ずる配管内に残っている、エプロン３１用の冷却水ｗをパージする。
【００２４】
このようにすることで、エプロン３１を旋回させて下降させた際に、これらの残っている冷却水ｗが流れ出して検査装置３０にかかるのを防止することができる。
【００２５】
なお、自動弁３７は三方弁であるため、エプロン３１用の冷却水ｗを噴水口３６から吐出させるのを停止させている間、冷却水ｗは戻り配管やタンクなどに向け排水することができる。
【００２６】
この他、エプロン３１を旋回させて下降させる前にエプロン３１上に付着していた冷却水ｗについても、以上説明した、エプロン３１用の冷却水ｗをパージするためのパージ手段４０を用いて圧縮空気を噴射するようにすれば、多少パージすることができるが、これをパージするための手段として、後述する第二の実施の形態で説明するようなパージ手段４１を、別途設けるようにしてもよい。
【００２７】
なお、検査対象の被圧延材８の尾端が検査装置３０の上を通過し終わると、次の被圧延材８が検査対象であるか否かにかかわらず、旋回昇降式のエプロン３１を上昇させる。そして、次の被圧延材８が検査対象でない場合、被圧延材８が検査装置３０の上を通過する際は、冷却水ｗを噴水口３６から吐出させるようにしておく。次の被圧延材８が検査対象である場合、検査対象の被圧延材８の場合の、以上説明した、エプロン３１と冷却水ｗとパージ手段４０の動作を再び行う。
【００２８】
（第二の実施の形態）本発明の別の実施の形態について、図２を用いて説明する。本実施の形態では、エプロン３１用の冷却水ｗをパージするための手段（パージ手段４１）を設けている。上記第一の実施の形態で説明した、エプロン３１に繰り抜いた噴水口３６に向け冷却水ｗが供給される配管の途中に接続したものとは異なり、エプロン３１の外部からエプロン３１に向け圧縮空気を噴射することにより、エプロン３１上に溜まるなどしている冷却水ｗをパージする。
【００２９】
圧縮空気を噴射する方向は、被圧延材８の搬送方向Ａまたはその逆方向に成分をもたせた方向とすることで、エプロン３１上に溜まるなどしている冷却水ｗは、隙間などから流れ落ちる。被圧延材８の搬送方向Ａと直行する方向、すなわち、紙面の法線方向にも成分をもたせた方向としてもよい。
【００３０】
また、パージ手段４１を複数設置して、例えば、互いに逆方向や直角方向の成分をもたせるようにするなど、異なる方向に向けて圧縮空気を噴射するようにしてもよい。
【００３１】
なお、図示を省略しているが、パージ手段４１に向けて、先述の第一の実施の形態の場合と同様、圧縮空気配管から、自動弁３８と逆止弁３９を通じて圧縮空気を供給できるように配管を通じて接続する。
【００３２】
また、パージ手段４１を用いてエプロン３１用の冷却水ｗをパージする動作のほか、エプロン３１と冷却水ｗの動作のタイミングについても、先述の第一の実施の形態の場合と同様でよい。
【００３３】
このほか、第一と第二の実施の形態は、同時に実施してもよい。
【符号の説明】
【００３４】
７  テーブルロール
８  被圧延材
９  幅プレス
１０  加熱炉
１２  粗圧延機
１３５  エッジャーロール
１４  クロップシャー
１５  仕上入側温度計
１６  デスケーリング装置
１８  仕上圧延機
１９  ワークロール
１９Ａ  バックアップロール
２０  ルーパ
２１  仕上出側温度計
２２  仕上出側板厚計
２３  ランナウトテーブル
２４  コイラー
２５  コイラー入側温度計
２６  冷却設備
３０  検査装置
３１  ゲート兼エプロン（エプロン）
３２  旋回中心
３３  アクチュエータ
３４  旋回半径
３５  支持脚
３６  噴水口
３７  自動弁（三方弁）
３８  自動弁
３９  逆止弁
４０  パージ手段
４１  パージ手段
５０  制御装置
７０  プロセスコンピュータ
９０  ビジネスコンピュータ
１００  熱間圧延ライン
Ａ    搬送方向
ｗ    冷却水
【図１】
2010240684.tif 000003
【図２】
2010240684.tif 000004
【図３】
2010240684.tif 000005
【図４】
2010240684.tif 000006